(57)【要約】【課題】踏段がステップ軸に固定され緩みが発生していないことを、踏板の上面から容易に確認できるエスカレーターの踏段を得る。【解決手段】踏板５の上面から貫通穴８を通して締付治具１５を挿入し、締付ボルト１４を締付方向に回転させて踏段をステップ軸４に固定するものにおいて、踏板の上面に設けられた透明の確認窓１６と、確認窓の下面に設けられ、他端が開放されたガイド筒１７と、ガイド筒内に一部が挿入され、残部がガイド筒の外側に露出され、柔軟性かつ伸縮性のある密閉充填袋により構成された棒状体１９と、ガイド筒内に挿入された複数個の球状表示体２０と、棒状体の露出部を固定保持部の水平突出部との間に挟み込むことにより押し潰す押付具２２とを備え、踏段取付時に、押付具が棒状体の露出部を押し潰すと、ガイド筒内の棒状体の一部が延伸し、球状表示体を透明の確認窓の内面に押し付ける。【選択図】図１
2014213957.tif 000002
【特許請求の範囲】
【請求項１】
踏段を構成し、上面から下面に貫通する貫通穴が設けられた踏板と、前記踏板の下面に設けられ、踏段を構成するブラケットと、前記ブラケットに固定され、踏段が係合するステップ軸の上面に跨って係合する湾曲部を有する固定保持部と、前記固定保持部の一端の水平突出部に設けられた挿入穴と、前記ブラケットに可動軸を介して回動可能に設けられ、前記ステップ軸の下面に係合する湾曲部を有する可動保持部と、前記可動保持部の一端の水平突出部に設けられたネジ穴と、前記固定保持部の挿入穴を通して前記可動保持部のネジ穴と係合し、前記固定保持部と前記可動保持部により前記ステップ軸に踏段を固定する締付ボルトとを備え、点検作業の踏段取付時に、前記踏板の上面から貫通穴を通して締付治具を挿入し、前記締付ボルトを締付方向に回転させて踏段を前記ステップ軸に固定するエスカレーターの踏段において、
前記踏板の上面に、前記締付ボルトの締付状態を踏板の上から確認できるように設けられた透明の確認窓と、
前記確認窓の下面に設けられ、他端が開放されて前記締付ボルトの頭部近傍に位置しているガイド筒と、
前記ガイド筒の筒状部内に一部が挿入され、その残部が前記ガイド筒の外側に露出されており、柔軟性かつ伸縮性のある素材により密閉された充填袋に構成された棒状体と、
前記棒状体の先端に位置するように前記ガイド筒の筒状部内に挿入され、通常は前記透明の確認窓から見えない位置にある複数個の球状表示体と、
前記締付ボルトの頭部と前記固定保持部の水平突出部との間に設けられ、前記棒状体の露出部を前記固定保持部の水平突出部との間に挟み込むことにより押し潰す押付具とを備え、
前記締付ボルトを締付方向に回転させた踏段取付時に、前記押付具が前記棒状体の露出部を前記固定保持部の水平突出部との間に挟み込んで押し潰すことにより、前記ガイド筒の筒状部内の前記棒状体の一部が延伸し、前記球状表示体を前記透明の確認窓の内面に押し付けることを特徴とするエスカレーターの踏段。
【請求項２】
透明の確認窓とガイド筒の踏板の上面に接する部分に位置する筒状の一端面を一体構成としたことを特徴とする請求項１記載のエスカレーターの踏段。
【請求項３】
球状表示体は、着色した柔軟性かつ伸縮性のある素材により密閉された充填袋から構成されていることを特徴とする請求項１又は請求項２記載のエスカレーターの踏段。
【請求項４】
棒状体の充填袋と球状表示体の充填袋の中には、気体又は液状の充填材が注入されていることを特徴とする請求項３記載のエスカレーターの踏段。
【発明の詳細な説明】
【技術分野】
【０００１】
この発明は、エスカレーターの踏段に関するものである。
【背景技術】
【０００２】
従来、エスカレーターの踏段においては、ステップ軸に踏段が固定され緩みが発生していないことを確認するためには、作業者が機械室の中に入り、直接目視にて踏段の固定状態を確認していたため、作業時間が掛かっていた（例えば、特許文献１参照）。
【０００３】
例えば、従来のエスカレーターの踏段の一般的な構成を、図９〜図１２により説明する。図中、１はエスカレーターの機械室で、作業員が保守作業時に中に入る。２は利用者が乗車する踏段、３は踏段チェーン、４は踏段チェーン３に固定され、踏段２と係合するステップ軸、５は踏段２を構成し利用者が乗る踏板、６は踏段２を構成する追従ローラ、７は踏段２を構成するブラケット、８は踏板５の上面から下面へ貫通するように設けられた貫通穴、９はブラケット７に固定され、ステップ軸４の上面に跨って係合する湾曲部を有するＣ字状の固定保持部、１０は固定保持部９の一端の水平突出部９ａに設けられた挿入穴、１１はブラケット７に取り付けられた可動部軸、１２は可動部軸１１により回動可能に設けられ、ステップ軸４の下面に係合する湾曲部を有するＪ字状の可動保持部、１３は可動保持部１２の一端の水平突出部１２ａに設けられたネジ穴、１４は固定保持部９の挿入穴１０を通して可動保持部１２のネジ穴１３と係合し、固定保持部９と可動保持部１２によりステップ軸４に固定する締付ボルト、１５は踏板５の上面から貫通穴８を通して締付ボルト１４を締め付ける締付治具である。
【０００４】
点検作業等で取外した踏段２を取り付ける場合は、図１１に示すようにステップ軸４の上面に、相対する固定保持部９のＣ字状の湾曲部を位置させ、踏段２を押し下げることにより、ステップ軸４の上面に位置しているＪ字状の可動保持部１２の他端部がステップ軸４の上面に当って、ステップ軸４の下面に相対する可動保持部１２が図１１の矢視Ｃの方向に回動し、固定保持部９と可動保持部１２によりステップ軸４を挟み込み、図１２の状態にする。次に、作業者は踏板５の上面より貫通穴８を通して締付治具１５を挿入し、締付ボルト１４を締付方向に回転させ締付ボルト１４のネジ部と可動保持部１２のネジ穴１３を係合させることにより、踏段２をステップ軸４に固定する。そして、締付ボルト１４が完全に締まったことを確認するには、作業員が機械室１の中に入り、固定保持部９の一端の水平突出部９ａと可動保持部１２の一端の水平突出部１２ａとが締付ボルト１４により確実に密着していることを目視にて確認する必要があった。
【先行技術文献】
【特許文献】
【０００５】
【特許文献１】特開２００２−６８６５４号公報
【発明の概要】
【発明が解決しようとする課題】
【０００６】
従来のエスカレーターの踏段では、踏段を取り付けた場合、作業員は最終確認を機械室の中に入って実施するため、踏段を取り付けた後に機械室まで所定の方法により移動させる時間が掛かり、また機械室までの踏段の移動に際して取り付けた踏段とそれ以外の踏段とを間違えて機械室で確認してしまうという可能性もあった。
【０００７】
この発明は、上述のような課題を解決するためになされたもので、踏段がステップ軸に固定され緩みが発生していないことを、踏板の上面から容易に確認することができるエスカレーターの踏段を提供するものである。
【課題を解決するための手段】
【０００８】
この発明に係るエスカレーターの踏段においては、踏段を構成し、上面から下面に貫通する貫通穴が設けられた踏板と、踏板の下面に設けられ、踏段を構成するブラケットと、ブラケットに固定され、踏段が係合するステップ軸の上面に跨って係合する湾曲部を有する固定保持部と、固定保持部の一端の水平突出部に設けられた挿入穴と、ブラケットに可動軸を介して回動可能に設けられ、ステップ軸の下面に係合する湾曲部を有する可動保持部と、可動保持部の一端の水平突出部に設けられたネジ穴と、固定保持部の挿入穴を通して可動保持部のネジ穴と係合し、固定保持部と可動保持部によりステップ軸に踏段を固定する締付ボルトとを備え、点検作業の踏段取付時に、踏板の上面から貫通穴を通して締付治具を挿入し、締付ボルトを締付方向に回転させて踏段をステップ軸に固定するものにおいて、踏板の上面に、締付ボルトの締付状態を踏板の上から確認できるように設けられた透明の確認窓と、確認窓の下面に設けられ、他端が開放されて締付ボルトの頭部近傍に位置しているガイド筒と、ガイド筒の筒状部内に一部が挿入され、その残部がガイド筒の外側に露出されており、柔軟性かつ伸縮性のある素材により密閉された充填袋に構成された棒状体と、棒状体の先端に位置するようにガイド筒の筒状部内に挿入され、通常は透明の確認窓から見えない位置にある複数個の球状表示体と、締付ボルトの頭部と固定保持部の水平突出部との間に設けられ、棒状体の露出部を固定保持部の水平突出部との間に挟み込むことにより押し潰す押付具とを備え、締付ボルトを締付方向に回転させた踏段取付時に、押付具が棒状体の露出部を固定保持部の水平突出部との間に挟み込んで押し潰すことにより、ガイド筒の筒状部内の棒状体の一部が延伸し、球状表示体を透明の確認窓の内面に押し付けるものである。
【０００９】
また、透明の確認窓とガイド筒の踏板の上面に接する部分に位置する筒状の一端面を一体構成としたものである。
【００１０】
また、球状表示体は、着色した柔軟性かつ伸縮性のある素材により密閉された充填袋から構成されているものである。
【００１１】
また、棒状体の充填袋と球状表示体の充填袋の中には、気体又は液状の充填材が注入されているものである。
【発明の効果】
【００１２】
この発明によれば、ステップ軸に踏段が固定されたことを確認する為に作業者が機械室に移動する必要がなく、踏段を取り付けた位置で確認できる為、作業時間が短縮される効果がある。
【図面の簡単な説明】
【００１３】
【図１】この発明の実施例１におけるエスカレーターの踏段の構成を示す断面図である。
【図２】図１の矢視Ａ−Ａ線に沿った断面図である。
【図３】図２の矢視Ｂ方向から見た平面図である。
【図４】この発明の実施例１におけるエスカレーターの踏段の要部を示す動作説明図である。
【図５】この発明の実施例１におけるエスカレーターの踏段の要部を拡大して示す斜視図である。
【図６】この発明の実施例１におけるエスカレーターの踏段の図１に至る前の初期動作を示す説明図である。
【図７】この発明の実施例１におけるエスカレーターの踏段の図１に至る前の中間動作を示す説明図である。
【図８】この発明の実施例１におけるエスカレーターの踏段の図１に至る前の締付動作を示す説明図である。
【図９】従来のエスカレーターの全体構成を示す側面図である。
【図１０】従来のエスカレーターの踏段の構成を示す側面図である。
【図１１】従来のエスカレーターの踏段の動作開始前の側面図である。
【図１２】従来のエスカレーターの踏段の動作後の側面図である。
【発明を実施するための形態】
【００１４】
実施例１.
図１はこの発明の実施例１におけるエスカレーターの踏段の構成を示す断面図、図２は図１の矢視Ａ−Ａ線に沿った断面図、図３は図２の矢視Ｂ方向から見た平面図、図４はエスカレーターの踏段の要部を示す動作説明図、図５はエスカレーターの踏段の要部を拡大して示す斜視図、図６は図１に至る前の初期動作を示す説明図、図７は図１に至る前の中間動作を示す説明図、図８は図１に至る前の締付動作を示す説明図である。
【００１５】
図において、１〜１５は従来のエスカレーターの踏段の一般的な構成のものと同様なので説明を省略する。１６は踏板５の上面に設けられた透明の硬質樹脂製からなる確認窓で、締付ボルト１４の締付状態を踏板５の上から直接目視により確認するためのものである。１７は硬質樹脂製からなる筒状のガイド筒で、踏板５の上面に接する部分に位置する筒状の一端面を透明の確認窓１６と一体とし、筒状の他端は開放状態となっており、締付ボルト１４の頭部近傍に位置している。なお、上記透明の確認窓１６と上記ガイド筒１７の筒状の一端面を一体構成としたが、一体構成ではなく、別々に構成しても良い。１８はガイド筒１７の内部の空気を外部へ放出または吸入するために透明の確認窓１６に貫通した空気穴、１９はガイド筒１７の他端の開放端部側から筒状部内にその一部を挿入し、残りの部分をガイド筒１７の他端開放端部の外側に露出させた横長の棒状体で、その表面に明るい色を着色した柔軟性かつ伸縮性のある素材、例えばゴム製の密閉された横長棒状の充填袋１９ａから構成されている。２０はガイド筒１７の筒状部内に充填挿入された複数個の球状表示体で、各球状表示体２０は、表面に明るい色を着色した柔軟性かつ伸縮性のある素材、例えばゴム製の密閉された球状の充填袋２０ａから構成されている。上記ガイド筒１７の筒状部内の上端（先端）に位置する球状表示体２０は、通常は透明の確認窓１６から少し離れた位置にあり、透明の確認窓１６から見えないが（図４（ａ）、図６、図７参照）、横長の棒状体１９の充填袋１９ａの外側露出部が押し潰されて圧力Ｐが掛かり、それに連動して複数個の球状表示体２０が押された時、透明の確認窓１６に接触する位置まで移動するので、透明の確認窓１６から見えるようになる（図１、図２、図４（ｂ）、図８参照）。２１は充填袋１９ａ、２０ａの中にそれぞれ注入される気体或いは液状の充填材、２２は締付ボルト１４の頭部下面と固定保持部９の水平突出部９ａとの間に設けられたＺ字状の押付金具で、横長の棒状体１９の露出部を固定保持部９の水平突出部９ａとの間に挟み込むことにより、棒状体１９の露出部を押し潰す。２３は押付金具２２の棒状体１９を押し付ける部分と相対する部分に設けられ、締付ボルト１４が貫通する押付金具取付穴である。
【００１６】
図１はこの発明によりステップ軸４に踏段２を固定した状態を示している。図２は図１の部分断面図であり、複数個の球状表示体２０がガイド筒１７の内側を上方向に移動し、透明の確認窓１６の内面に押し付けられている状態を示している。図３は踏板５の上面から透明の確認窓１６を確認している状態を示しており、透明の確認窓１６の中の先端に位置する球状表示体２０が透明の確認窓１６の内面に接触しが透明の確認窓１６から見えていることを示している。この状態であれば締付治具１５を使用して締付ボルト１４により踏段２とステップ軸４とが確実に固定されていると確認することができる。
【００１７】
次に、図４（ａ）、（ｂ）により動作を説明する。ガイド筒１７の内側の透明の確認窓１６側に球状表示体２０が複数個設置され、ガイド筒１７の他端の開放端部側から筒状部内にその半分を挿入するとともに、残りの半分をガイド筒１７の他端の開放端部の外側に露出させた横長の棒状体１９を設置する。この時、ガイド筒１７の筒状部内の先端に位置する球状表示体２０は、透明の確認窓１６から少し離れた位置にあり、透明の確認窓１６から見えない（図４（ａ）参照）。
次に、ガイド筒１７から露出した棒状体１９の一部分を圧力Ｐにて押し付けると、その力が棒状体１９の充填材２１を通して棒状体１９の充填袋１９ａの内面に作用し、棒状体１９の充填袋１９ａが延伸し、隣接する球状表示体２０へ圧力Ｐが伝わっていく。棒状体１９から最も離れた透明の確認窓１６側に位置する球状表示体２０は一端を圧力Ｐにて透明の確認窓１６の内面に押し付けられることになる。この場合、圧力Ｐの大きさにより球状表示体２０の透明の確認窓１６への押付力が変わるため、球状表示体２０と透明の確認窓１６の接触状態は、透明の確認窓１６に現れた球状表示体２０の接触面積に比例することになる。つまり、透明の確認窓１６で球状表示体２０の接触面積を確認することにより圧力Ｐの状態を確認することができる（図４（ｂ）参照）。
【００１８】
図５にて具体的な構造を示して説明する。図５中、踏板５は省略しているが、透明の確認窓１６の部分は踏板５の下面より踏板５の内部に埋め込まれ、透明の確認窓１６は踏板５の上面より確認できるようになっている。また固定保持部９の水平突出部９ａのみを記載しているが、これは説明のためである。ガイド筒１７はくの字状に曲がっており、透明の確認窓１６側の直線部は天地が上下方向となりガイド筒１７内の複数個の球状表示体２０は重力によりガイド筒１７の下側に位置している。図４で説明した圧力Ｐは、この場合は固定保持部９の水平突出部９ａと押付金具２２との挟み込みによる押付により発生し、圧力Ｐの大きさは締付ボルト１４が押付金具２２の取付穴２３と固定保持部９の挿入穴１０を通して可動保持部１２のネジ穴１３と係合することにより変化する。固定保持部９と可動保持部１２が確実に接触するまで締付ボルト１４を締め付けることにより規定の圧力Ｐが棒状体１９と球状表示体２０に発生し、透明の確認窓１６にて締付ボルト１４の締付状態が確認することができる。
【００１９】
図６〜図８によりこの発明の具体的な動作を説明する。図６は所定のステップ軸４の上面に踏段２の固定保持部９の湾曲部を位置し、可動保持部１２が保持部軸１１を中心にして回転し、図７に示すように、固定保持部９と可動保持部１２にてステップ軸４を挟み込む。この時に棒状体１９の露出部は押付金具２２と固定保持部９の水平突出部９ａにより挟まれているが、圧力Ｐはかかってはいない。次に、図８に示すように、締付治具１５により締付ボルト１４を押付金具２２の取付穴２３と固定保持部９の挿入穴１０とを通して可動保持具１２のネジ穴１３と係合させ、締付方向に締付ボルト１４を回転させていく。この時に押付金具２２と固定保持部９の水平突出部９ａにより棒状体１９の露出部に圧力Ｐが発生して球状表示体２０を透明の確認窓１６側に向かって押し上げていく。最終的には、図１に示すのように、固定保持部９の水平突出部９ａと可動保持部１２の水平突出部１２ａが密着し、球状表示体２０が透明の確認窓１６の内側に接触した状態となり、透明の確認窓１６から見えるようになる。
【符号の説明】
【００２０】
１  機械室、  ２  踏段、  ３  踏段チェーン、  ４  ステップ軸、  ５  踏板、  ６  追従ローラ、  ７  ブラケット、  ８  貫通穴、  ９  固定保持部、  ９ａ  水平突出部、  １０  挿入穴、  １１  保持部軸、  １２  可動保持部、  １２ａ  水平突出部、
１３  ネジ穴、  １４  締付ボルト、  １５  締付治具、  １６  透明の確認窓、  １７ガイド筒、  １８  空気穴、  １９  棒状体、  １９ａ  充填袋、  ２０  球状表示体、  ２０ａ  充填袋、  ２１  充填材、  ２２  押付金具、  ２３  押付金具取付穴。
【図１】
2014213957.tif 000003
【図２】
2014213957.tif 000004
【図３】
2014213957.tif 000005
【図４】
2014213957.tif 000006
【図５】
2014213957.tif 000007
【図６】
2014213957.tif 000008
【図７】
2014213957.tif 000009
【図８】
2014213957.tif 000010
【図９】
2014213957.tif 000011
【図１０】
2014213957.tif 000012
【図１１】
2014213957.tif 000013
【図１２】
2014213957.tif 000014